(57)【要約】  防衛手段（３）のために威嚇物（２）をより見やすくすることが提案される。これに関連して、防衛手段（３）のために威嚇物（２）はより鮮明にイメージ化されるべきである。より効果的にイメージ化するために、威嚇物（２）がより強いＩＲサインを放ち、したがって防衛手段（３）にとって十分に背景から際立つことができるようにされている。より強いＩＲサインは、威嚇物（２）の表面（９）を加熱することによって引き起こされ、このことはレーザ兵器システム（７）によって実現される。防衛手段（３）はこの加熱をより良く検出できるようになり、このためにＩＲシーカを備えている。
2019534441.tif 000002
【特許請求の範囲】
【請求項１】
威嚇物（２）から防衛する方法であって、
前記威嚇物（２）を検出し、
レーザ兵器システム（７）のレーザ光（７．１）を前記威嚇物（２）に向けて放射し、
前記レーザ光（７．１）を前記威嚇物（２）の表面（９）に衝突させ、
前記レーザ光（７．１）は前記威嚇物（２）の表面（９）を少なくとも点状に加熱し、
該加熱は防衛手段（３）のＩＲシーカによって検出可能である方法。
【請求項２】
前記加熱は前記威嚇物（２）の前部領域で行われることを特徴とする請求項１に記載の方法。
【請求項３】
前記前部領域は、前記威嚇物（２）の先端部、蛋形部又はフードであることを特徴とする請求項２に記載の方法。
【請求項４】
更に、前記威嚇物（２）の胴部、翼部及び尾部を個別に又は組み合わせて加熱できることを特徴とする請求項１〜３の何れか一項に記載の方法。
【請求項５】
防衛システム（１０）であって、
少なくとも１つの検出装置（４）と、威嚇物（２）の表面（９）を加熱するための少なくとも１つのレーザ兵器システム（７）と、防衛手段（３）を発射するための少なくとも１つの兵器とによって、威嚇物（２）から物体（８）を保護することを特徴とする防衛システム（１０）。
【請求項６】
前記威嚇物（２）が静止しているか又は移動していることを特徴とする請求項５に記載の防衛システム（１０）。
【請求項７】
前記防衛手段（３）がＩＲシーカを備えたロケットであることを特徴とする請求項５又は６に記載の防衛システム（１００）。
【請求項８】
レーザ（５）が照射のために組み込まれることを特徴とする請求項５〜７の何れか一項に記載の防衛システム（１０）。
【請求項９】
請求項５〜８の何れか一項に記載の防衛システム（１０）を有する物体（１１）。
【請求項１０】
前記物体（１１）が静止しているか又は自己移動可能であることを特徴とする請求項９に記載の物体（１１）。
【発明の詳細な説明】
【技術分野】
【０００１】
本発明は、標的物又は威嚇物からの防衛のための、特に移動している物体又は静止している物体からの防衛のための方法に関する。これらは誘導ミサイルなどのミサイル、ロケット、手榴弾、ヘリコプター、航空機、並びに車両を含んでいる。特に、この方法は威嚇物の認識と破壊を目的とする。本発明は、また、少なくとも１つのレーザシステム、並びにミサイル、操縦弾薬、ＵＡＶなどのＩＲセンサベースの防衛手段を備える防衛システムを扱う。
【背景技術】
【０００２】
威嚇物からの保護のため、保護すべき物体は花火発光体によって隠され、その間に保護すべき物体を危険区域から持ち出すことができる。ここでは特に特許文献１又は特許文献２から知られているような装置及び方法が示されている。特許文献３は、煙幕を攻撃者の真正面に、シーカ（seeker,探知装置）の前方のできるだけ近くににもたらすことを示す。
【０００３】
特許文献４から、レーダで誘導されるインテリジェント威嚇物を能動的に積極的に欺くことが知られている。この能動的な欺きは、弾薬本体の表面上又は表面下に配置されたアンテナアレイによって実現される。方向性の効果や照射されるレーダ信号は適切な信号処理とジオメトリによって影響を受ける。したがって、種々の標的物の顕著なサインは標的物から威嚇物を逸らすための反射信号に適用されることもできる。
【０００４】
別の対抗手段は妨害送信機を使うことである。特許文献５は、変調計測放射線を飛行体に送信するために変調コードを有するレーザユニットを利用する。これによりシーカの標的物捕捉が妨害される。さらに、飛行体から反射された測定放射線が検出され、変調コードと相関され、この相関から飛行体までの距離が決定される。特許文献６では、妨害放射線から遮蔽するために、光学リンクの周りに部分的に案内された遮蔽要素を有する遮蔽ユニットを組み込むことが想定されている。
【０００５】
ミサイルをミサイルとして認識して分類する、防衛放射線によってミサイルから防衛するための方法は、特許文献７において扱われている。防衛戦略は、照射方向とミサイルの飛行方向との間の照射角度に依存して作成される。その際に基礎となる考えは、確実に損傷を与えるために、ミサイルの選択された機能的に敏感なミサイル要素にできるだけ多くの放射線エネルギーを投入するということである。したがって選択されたミサイル要素に正しい放射角で命中することが重要である。これに伴う技術的コストは高価である。
【０００６】
ＩＲシーカを有するミサイルに対する航空機の自衛のために、特許文献８が示すように、ＤＩＲＣＭレーザ兵器システム用のレーザ源を使用することが提案されている。特許文献９も、高強度放射線の指向性レーザ光によって赤外線シーカを有するミサイルを破壊することを想定している。このためには高出力及び／又は高放射線を有するレーザ又はレーザ兵器が必要である。
【０００７】
特許文献１０により、ミサイル（ロケット）に対する防衛システムが知られている。この文献は、誤った標的物はたいていトーチとして地面に衝突し、しかもこの種の対抗手段は高価で、必ずしも効果的ではないという欠点に基づいて、ＩＲ威嚇物に対する対抗手段として、航空機の最も熱い熱源よりも明るく、強く、大きい、又はより高い放射線強度を有する熱源又はヒートサインを提供することを提案する。これにより際だって見つけやすい熱源又は標的がロケットのために提供される。このより明るく、より強く、そしてより大きい熱源は航空機の曳航索内にある。
【先行技術文献】
【特許文献】
【０００８】
【特許文献１】独国特許発明第１０２００５０２０１５９（Ｂ４）号明細書
【特許文献２】独国特許出願公開第１０２００５０３５２５１（Ａ１）号明細書
【特許文献３】独国特許出願公開第１０２０１１００９１５４（Ａ１）号明細書
【特許文献４】独国特許出願公開第１０２０１１１２０９２９（Ａ１）号明細書
【特許文献５】独国特許出願公開第１０２０１３０１４１９２（Ａ１）号明細書
【特許文献６】独国特許出願公開第１０２０１１１０４０２１（Ａ１）号明細書
【特許文献７】独国特許出願公開第１０２０１１００９４５９（Ａ１）号明細書
【特許文献８】独国特許出願公開第１０２００６０４７８４５（Ａ１）号明細書
【特許文献９】独国特許出願公開第１９７２４０８０（Ａ１）号明細書
【特許文献１０】国際公開第２００５／０５６３８４（Ａ１）号
【発明の概要】
【発明が解決しようとする課題】
【０００９】
本発明の課題は、威嚇物の簡単な認識を効率的に可能にし、これを確実に破壊することを保証する方法を提供することである。
【課題を解決するための手段】
【００１０】
上記の課題は、請求項１の特徴によって解決される。有利な実施形態は従属請求項に含まれている。
【００１１】
本発明は、標的物又は威嚇物を防衛手段にとってより見やすくするという考えに基づいている。
【００１２】
米国特許第５０５０４７６（Ａ）号明細書は、標的物を熱的にマーキングするために標的物上にホットスポットを形成するレーザを有するミサイルシステムに関するものである。熱を探査するロケットが標的物上の加熱された箇所を検知する。この場合、ロケット内の種々のレーザ出力は、レーザが投入されている時間に依存する。ここで対象となっているのは攻撃手段である。威嚇物又は標的物の防衛のための利用は、ここでは言及されない。
【００１３】
本発明により標的物又は威嚇物は、防衛手段にとってより鮮明にイメージ化されるべきである。この場合、威嚇物又は標的物自体がＩＲシーカを備えて構成されているかどうかは重要ではない。
【００１４】
より効果的にイメージ化するために、標的物／威嚇物それ自体が、より強いＩＲサインを発し、したがって十分に背景から際立つことができるように、発射される防衛手段のためのＩＲセンサの使用が提供される。そうすることによって標的物／威嚇物は防衛手段によって検出されやすくなり、すなわちこれらの防衛手段によって首尾よく対抗できるようになる。金属、鋼鉄、プラスチック及びその他の材料（例えばコンクリート）はレーザ照射を吸収し、それによって発熱するという特性が利用される。
【００１５】
この考えを実行するために、レーザ放射線が標的物／威嚇物の表面を加熱するようにされている。加熱により標的物／威嚇物の表面上により大きい加熱された（赤い）スポットが形成される。標的物／威嚇物のこの強化された電気光学的イメージは、防衛手段としてＩＲシーカを備えたミサイルによって検知されやすくなる。
【００１６】
このようにして標的物／威嚇物の表面を加熱することによってより強い放射が引き起こされるが、このことは好ましくはそれに必要なレーザ放射を提供するレーザ兵器システムによって実現される。この加熱は加熱された面として背景からよりはっきりと際立つので、防衛手段はこれを検出しやすくなる。
【００１７】
威嚇物に対するレーザ兵器システムの作動、又は威嚇物への時限レーザ光の放射は、あり得る威嚇物が検出装置によって検出された後に行われる。
【００１８】
例えば標的物／威嚇物がシーカを備えていないミサイルである場合は、ミサイルの先端部（蚕形部、フード）を加熱することが好ましい。威嚇物がシーカを備えたミサイルである場合は、シーカ自体を加熱することが好ましい。さらに、胴部、翼部並びに尾部を個別に又は組み合わせて加熱することもできる。
【００１９】
ミサイルが（シーカの有無にかかわらず）プラスチック製フードを有する場合は、このプラスチック製フードを破壊するだけで十分なことがある。それによりミサイルの飛行特性が制限されて、ミサイルは保護すべき物体を見逃す。こうしてミサイルは使用不能にされる。
【００２０】
本発明によりレーザ兵器システムと威嚇物防衛は機能的に互いに組み合わされる。この場合、レーザ兵器システムは、威嚇物それ自体を破壊する物を有してはいない。そのため放出されるレーザ出力は、レーザ兵器の出力より小さくできる。さらにこのレーザ兵器システムにより威嚇物防衛の精度が高められる。したがって威嚇物から防衛するために、１つの防衛手段のみを放射又は発射すれば十分である。さらにレーザ兵器システムの使用が拡大される。威嚇物の防衛は、レーザ兵器システムによって支援される。
【００２１】
レーザ兵器システムはすでに実用において知られている。例えば独国特許第１０２０１２１５００７４（Ｂ３）号明細書には、少なくとも１つのレーザ発生ユニット、少なくとも１つの出力ステージ要素及び放射光学要素を備えたビーム指向ユニットを有するレーザ兵器システムが記載されている。国際公開第２０１２／０６２３９９（Ａ１）号も他のレーザ兵器システムを開示している。
【００２２】
本方法を実行するために、威嚇物を検出するための少なくとも１つの検出装置、レーザ兵器システム、好ましくは高性能レーザ兵器システム、並びに対抗手段（防衛手段）、ここではロケット（ミサイル）、ＩＲシーカ又はＩＲドローンなどを備えたミサイルなどが必要とされる。防衛システム内で照射レーザを使用することも想定され得る。追跡システムとしての標的物サーチシステムも有利である。威嚇物が少なくとも１つの敏感な構造部品で加熱された後、対抗手段又は防衛手段を起動して威嚇物に対して発射できる。
【００２３】
複数の威嚇物がある場合は、少なくとも１つの別のレーザ兵器システムを使用することもできる。１つ以上のレーザ兵器システムは、１つの威嚇物に対してのみ機能することができ、それにより敏感な構造部品の加熱がより速く行われるので威嚇物を破壊するための時間枠が拡大されるという利点がある。このためにレーザ光は好ましくは標的物上で重ね合わされる。
【００２４】
防衛手段にとって威嚇物又は標的物をより見やすくすることが提案される。この関連において威嚇物又は標的物は、防衛手段にとってより鮮明にイメージ化されるべきである。より効果的にイメージ化するために、威嚇物又は標的物はより強いＩＲサインを発し、したがって防衛手段にとって十分に背景から際立つことができるようにされている。より強いＩＲサインは、威嚇物の表面又は標的物自体を加熱することによって引き起こされ、このことはレーザ兵器システムによって実現される。防衛手段はこの加熱をより良く検出できるようになり、このためにＩＲシーカを備えている。
【００２５】
原則として本方法は、レーザ放射を吸収し、それによって発熱できる材料を含むすべての可能な標的物及び威嚇物に適用することができる。本方法はすべてのミサイルに適用可能であり、驚異のあるＩＲミサイル又はＲＦミサイルのみに限定されない。本方法は他の標的物／威嚇物に対しても利用できる。これには、動く標的物／威嚇物も静止した標的物／威嚇物も含まれる。
【００２６】
以下に、本発明を図面に示した実施形態に基づいて詳細に説明する。
【図面の簡単な説明】
【００２７】
【図１】威嚇物防衛のための防衛システムのブロック図である。
【発明を実施するための形態】
【００２８】
唯一の図は、威嚇物防衛のための防衛システム１０のブロック図を示している。この実施形態では、威嚇物２は接近してくるミサイルである。この実施形態では威嚇物防衛のために、詳細に図示されない兵器（発射装置）から発射可能なＩＲシーカを備えたロケット（ミサイル）３が設けられている。
【００２９】
防衛システム１０は、レーダ又は電気光学システムであることができる少なくとも１つの検出装置４を有している。レーザ６は、照射レーザとして防衛システム１０に統合できる。レーザ兵器システムは７で示されており、これは本発明により威嚇物２をより良く特性を把握する（特徴付ける）。この場合、レーザ兵器システム７は高出力レーザである。防衛システム１０の発射制御回路は公知のため詳細に図示されない。この発射制御回路を介して、例えば検知装置４などの入力された信号やデータなどが処理されて、信号又はデータとして、防衛システム１０内に組み込まれたアクチュエータ、例えば詳細に図示されない兵器、レーザ６又はレーザ兵器システム７などに出力される。
【００３０】
レーザ兵器システム７は、少なくとも１つのレーザユニット、レーザ（高出力レーザ）、例えば単一共振器発振器又は主発振器出力増幅器（ＭＯＰＡ）並びに付属の光学系（詳細に図示せず）からなる。
【００３１】
検出装置４によって、保護されるべき物体１１（静止している、可動である、又は動いている）の周囲の監視されるべき空間が定期的に探査されて、進入するミサイル２が監視される。
【００３２】
威嚇物を認識すると、発射制御回路により対抗手段の発射が開始され、ロケット３が既知の方法でミサイル２に向けて発射され得る。これに必要な発射装置（詳細に図示せず）は物体１１から離れて配置されてもよいが、防衛システム１０の発射制御回路に機能的に接続されるべきである。
【００３３】
威嚇物２の検出した時点で、標的物追跡システム（詳細に図示せず）もこれにロックオンすることができる。
【００３４】
１回の発射でミサイル２を破壊することを達成するために、ロケット３が明確に認識可能な標的物（ミサイル２）に対面するようにされている。このためにミサイル２は背景からよりはっきりと際立って視認されるべきである。このよりはっきりと際立つことは、威嚇物を少なくとも点状に加熱することによって実現可能である。実際には、約２℃の温度差で十分であることがわかった。１５℃の周囲環境では１７℃に加熱すれば十分であり、これは達成可能であろう。
【００３５】
検出装置４が接近してくるミサイル２を検出すると直ちに、照射レーザ６がこのミサイル２にロックオンしてそのレーザ光６．１をこれに固定する可能性がある。このミサイル２上の固定点８は、ミサイル２の可視領域（一般にミサイルの先端部）にあることが好ましい。この場合、固定点８はミサイル２の敏感な構造部品上、特にミサイル２の先端部（蚕形部、フード）、尾部などの上にあることが好ましい。固定点８は、レーザ兵器システム７によりそのレーザ光７．１をミサイル２上に位置合わせするために利用され得る。
【００３６】
レーザ光７．１を用いてミサイル２の表面９上を、好ましくは先端部（蚕形部、フード）の領域を加熱又は昇温できる。それによってミサイル２はこの箇所で暖かくなり、ロケット３のＩＲシーカにとって明瞭に認識可能なミサイル２上のスポットを形成する。ロケット３はミサイル２を狙いすまして破壊できる。
【００３７】
本方法は、静止している威嚇物／標的物にも適用可能である。
【図１】
2019534441.tif 000003
【国際調査報告】
2019534441.tif 000004
2019534441.tif 000005
2019534441.tif 000006
2019534441.tif 000007
2019534441.tif 000008
2019534441.tif 000009